(57)【要約】【課題】中綴製本中に刷本に捲れが生じたまま重ねられないようにする。【解決手段】搬送チェーン（１）の進行方向に沿って刷本（３）を所定間隔で配置し、走行する上記搬送チェーン（１）に上記刷本（３）を順に鞍掛けして積み重ね、全刷本（３）が積み重なったものの背を綴じ、しかる後に、天、地及び小口の断裁を行う中綴製本方法において、上記刷本（３）が鞍掛けされる都度、上記搬送チェーン（１）の両側から各々垂れ下がる刷本（３）の重畳部（３ａ，３ｂ）に対し、その上記進行方向の先端近傍を仮止めし、この仮止めした箇所を上記断裁と同時に除去する。【選択図】図２
2013244639.tif 000002
【特許請求の範囲】
【請求項１】
搬送チェーンの進行方向に沿って刷本を所定間隔で配置し、走行する上記搬送チェーンに上記刷本を順に鞍掛けして積み重ね、全刷本が積み重なったものの背を綴じ、しかる後に、天、地及び小口の断裁を行う中綴製本方法において、上記刷本が鞍掛けされる都度、上記搬送チェーンの両側から各々垂れ下がる刷本の重畳部に対し、その上記進行方向の先端近傍を仮止めし、この仮止めした箇所を上記断裁と同時に除去することを特徴とする中綴製本方法。
【請求項２】
請求項１に記載の中綴製本方法において、針を上記重畳部の各々に突き刺すことによって上記仮止めを行うことを特徴とする中綴製本方法。
【請求項３】
請求項１に記載の中綴製本方法において、切込刃を上記重畳部の各々に突き刺すことによって上記仮止めを行うことを特徴とする中綴製本方法。
【請求項４】
搬送チェーンの進行方向に沿って刷本を所定間隔で配置し、走行する上記搬送チェーンに上記刷本を順に鞍掛けして積み重ね、全刷本が積み重なったものの背を綴じ、しかる後に、天、地及び小口の断裁を行う中綴製本装置において、上記刷本が鞍掛けされる都度、上記搬送チェーンの両側から各々垂れ下がる刷本の重畳部に対し、その上記進行方向の先端近傍を仮止めする仮止め手段が設けられ、この仮止め手段による仮止め部が上記断裁と同時に除去されるようにしたことを特徴とする中綴製本装置。
【請求項５】
請求項４に記載の中綴製本装置において、上記仮止め手段が上記重畳部の各々に突き刺される針であることを特徴とする中綴製本装置。
【請求項６】
請求項１に記載の中綴製本装置において、上記仮止め手段が上記重畳部の各々に突き刺される切込刃であることを特徴とする中綴製本装置。
【発明の詳細な説明】
【技術分野】
【０００１】
本発明は、製本不良を防止することができる中綴製本方法及び装置に関する。
【背景技術】
【０００２】
中綴製本は、搬送チェーンの進行方向に沿って刷本を所定間隔で配置し、走行する上記搬送チェーンに刷本を順に鞍掛けして所定数だけ積み重ね、全刷本が積み重なったものの背を綴じ、しかる後に、天、地及び小口の断裁を行うという工程を経ることにより行われる（例えば、特許文献１参照。）。
【先行技術文献】
【特許文献】
【０００３】
【特許文献１】特開平１１−２０８１４１号公報
【発明の概要】
【発明が解決しようとする課題】
【０００４】
中綴製本において、搬送チェーンにより刷本を搬送する際、刷本の小口側に風圧、振動等によって捲れ（めくれ）が生じる。この捲れ具合は刷本の仕様等により異なるが、搬送チェーンを増速すると顕著に現れる。このような捲れ現象が発生すると、刷本の積み重ねによって頁が折れ曲がったり、折れ曲がったまま断裁されたりする。このような中綴本は不良品として廃棄される。
【０００５】
従来の中綴製本装置は上記捲れ現象の発生に対する防止措置が何ら採られていない。
【０００６】
従って、本発明は、上記捲れ現象の発生を防止することによって不良品の発生を防止することができる中綴製本方法及び装置を提供しようというものである。
【課題を解決するための手段】
【０００７】
上記課題を解決するため、本発明は次のような構成を採用する。
【０００８】
なお、本発明の理解を容易にするため括弧付きの符号を付すが、本発明はこれに限定されるものではない。
【０００９】
すなわち、請求項１に係る発明は、搬送チェーン（１）の進行方向に沿って刷本（３）を所定間隔で配置し、走行する上記搬送チェーン（１）に上記刷本（３）を順に鞍掛けして積み重ね、全刷本（３）が積み重なったものの背を綴じ、しかる後に、天、地及び小口の断裁を行う中綴製本方法において、上記刷本（３）が鞍掛けされる都度、上記搬送チェーン（１）の両側から各々垂れ下がる刷本（３）の重畳部（３ａ，３ｂ）に対し、その上記進行方向の先端近傍を仮止めし、この仮止めした箇所を上記断裁と同時に除去することを特徴とする。
【００１０】
請求項２に記載されるように、請求項１に記載の中綴製本方法において、針を上記重畳部（３ａ，３ｂ）の各々に突き刺すことによって上記仮止めを行ってもよい。
【００１１】
請求項３に記載されるように、請求項１に記載の中綴製本方法において、切込刃を上記重畳部（３ａ，３ｂ）の各々に突き刺すことによって上記仮止めを行ってもよい。
【００１２】
請求項４に係る発明は、搬送チェーン（１）の進行方向に沿って刷本（３）を所定間隔で配置し、走行する上記搬送チェーン（１）に上記刷本（３）を順に鞍掛けして積み重ね、全刷本（３）が積み重なったものの背を綴じ、しかる後に、天、地及び小口の断裁を行う中綴製本装置において、上記刷本（３）が鞍掛けされる都度、上記搬送チェーン（１）の両側から各々垂れ下がる刷本（３）の重畳部（３ａ，３ｂ）に対し、その上記進行方向の先端近傍を仮止めする仮止め手段が設けられ、この仮止め手段による仮止め部（１２）が上記断裁と同時に除去されるようにした構成を採用する。
【００１３】
請求項５に記載されるように、請求項４に記載の中綴製本装置において、上記仮止め手段を上記重畳部（３ａ，３ｂ）の各々に突き刺される針とすることができる。
【００１４】
請求項６に記載されるように、請求項１に記載の中綴製本装置において、上記仮止め手段を上記重畳部（３ａ，３ｂ）の各々に突き刺される切込刃とすることができる。
【発明の効果】
【００１５】
本発明によれば、搬送チェーンによる刷本の搬送時に刷本に捲れ現象が発生しないようにすることができる。これにより、搬送チェーン上での刷本の積み重ねによって頁が折れ曲がったり、折れ曲がったまま断裁されたりするのを防止することができ、従って品質の良い中綴本を製造することができる。
【図面の簡単な説明】
【００１６】
【図１】本発明に係る中綴製本装置の概略平面図である。
【図２】図１中、刷本の仮止め装置の作用を示す説明図である。
【図３】図２中、（Ａ）の拡大図である。
【図４】刷本の仮止め装置の他の実施の形態を示す説明図である。
【発明を実施するための形態】
【００１７】
以下、図面を参照して本発明を実施するための形態について説明する。
【００１８】
図１に示すように、この中綴製本装置には、垂直面内で走行可能な無端の搬送チェーン１が設けられる。
【００１９】
この無端の搬送チェーン１における上部走行路の近傍には、搬送チェーン１の進行方向に沿って刷本供給部２が所定間隔で配置される。刷本供給部２は数か所にわたって設けられ、少なくとも中綴本を構成する刷本の個数分用意される。刷本供給部２には、刷本３が同種類ごとに各々積み重ねられる。
【００２０】
なお、上記刷本３には表紙も含まれる。表紙が別途必要とされる場合は、最下流側の刷本供給部３に刷本としての表紙が積み重ねられる。
【００２１】
搬送チェーン１は矢印方向に間欠走行し、刷本供給部２で一時停止するたびに、その上から刷本３が鞍掛けされる。刷本供給部２はサッカーによって刷本３を一部ずつ吸引し、倒Ｖ字形に拡げて搬送チェーン１上に被せる機構を備えるが、これは公知の構造であるからその詳細な説明は省略する。一冊の中綴本を構成するすべての刷本３が鞍掛け状に積み重ねられると、この積み重なったものは、搬送チェーン１によってさらにその下流側へと搬送される。
【００２２】
中綴製本装置は、搬送チェーン１の最下流側に対応する位置に綴部４を備える。綴部４は、搬送チェーン１によって搬送されて来た刷本３の積み重ねられたものの背を金具等で綴じるようになっている。
【００２３】
綴部４からはコンベア５が三方断裁機６へと伸びており、綴部４で背を綴じられ一体化された刷本３はコンベア５によって三方断裁機６へと搬送され、三方断裁機６によって天、地及び小口を断裁され、不要部を除去される。
【００２４】
三方断裁機６からはコンベア７がスタッカ８へと伸びており、三方断裁機６で断裁された刷本３は完成した中綴本９となってコンベア７によりスタッカ８へと搬送され、中綴本９の山として集積される。
【００２５】
上述のごとく、搬送チェーン１により刷本３が搬送される際に刷本３に捲れ現象が発生すると、刷本３の積み重ねによって刷本の頁が折れ曲がったり、折れ曲がったまま断裁されたりするが、これを防止するため、図１乃至図３に示すように、上記刷本３が鞍掛けされる都度、上記搬送チェーン１の両側から各々垂れ下がる刷本の重畳部３ａ，３ｂに対し、その上記進行方向の先端近傍を仮止めする仮止め手段が設けられる。
【００２６】
仮止め手段である仮止め装置は、図３に示すように、雌型１０と雄型１１の対が二対用意され、各対が搬送チェーン１の両側から各々垂れ下がる刷本３の重畳部３ａ，３ｂを挟むように配置される。
【００２７】
雌型１０には凹部１０ａが一個又は複数個設けられ、雄型１１には凹部１０ａに対峙するように凸部１１ａが設けられる。この実施の形態では凹凸部１０ａ，１１ａが円錐形の針として形成されるが、円錐台形、多角錐等他の形状であってもよい。その個数も図示例では三個であるが、一個でも良いし三個より多くてもよい。図４（Ａ）（Ｂ）は、凹凸部１０ａ，１１ａが三角錐として形成された態様を示す。この場合は後述の仮止め部１２は、刷本３の重畳部３ａ，３ｂに三角錐形に形成される。この三角錐の凸部１１ａはＶ字形の切込刃として構成することも可能である。
【００２８】
また、雌型１０は凹部１０ａの無い平坦なゴム板のごときものであってもよい。この場合は、凸部１１ａがゴム板にめり込むことによって、仮止め部１２が形成される。
【００２９】
雄型１１は刷本３の外側から刷本３の重畳部３ａ，３ｂに対峙し、雌型１０は刷本３の内側から刷本３の重畳部３ａ，３ｂに対峙する。そして、各雄型１１にはシリンダ・ピストン装置１３が連結される。シリンダ・ピストン装置１３の駆動によって、雄型１１が雌型１０の方へと移動すると、凹凸部１０ａ，１１ａが合体することで図２（Ｂ）のごとく刷本３の各重畳部３ａ，３ｂにおける進行方向先端近傍にエンボス状の仮止め部１２が形成される。
【００３０】
なお、雌雄型１０，１１の位置は刷本３の内外間で入れ替えることも可能である。また、シリンダ・ピストン装置１３は雌型１０側に連結することも可能である。
【００３１】
図３に示した上記仮止め装置は、図１に示すように、各刷本供給部２ごとに各々の下流側にて隣接するように配置される。
【００３２】
各刷本供給部２から供給される刷本３は、図２（Ａ）に示すように搬送チェーン１に鞍掛けされる。その際、刷本３の各重畳部３ａ，３ｂが仮止め装置の雌雄型１０，１１間に入り込む。そこで、ピストン・シリンダ装置１３が伸作動し、雌雄型１０，１１を合体させる。これにより、凹凸部１０ａ，１１ａによって刷本３の各重畳部３ａ，３ｂが挟み込まれ、仮止め部１２が形成されることによって各重畳部３ａ，３ｂが少なくともそれらの先端部において一体化される。この仮止めされた刷本３は、図２（Ｂ）に示すように搬送チェーン１によって次の刷本供給部２へと搬送されるが、各重畳部３ａ，３ｂが仮止めされていることから、搬送時に風圧や振動等が作用しても刷本３に捲れ等が生じなくなり、次の刷本供給部２で刷本３が被せられても、折れや皺等を生じることがない。
【００３３】
次に、上記構成の中綴製本装置の作用について中綴製本方法と共に説明する。
【００３４】
（１）図１に示すように、搬送チェーン１の進行方向に沿って配置された各刷本供給部２に刷本３が積み上げられる。
【００３５】
（２）搬送チェーン１が矢印方向に間欠走行し、刷本供給部２で一時停止するたびに、その上から刷本３が鞍掛けされる。
刷本３は搬送チェーン１に鞍掛けされると、図２（Ａ）のごとく、搬送チェーン１の両側から刷本３の重畳部３ａ，３ｂが各々垂れ下がり、その進行方向先端側の部分が仮止め装置の雌型１０と雄型１１との間に入り込む。
【００３６】
（３）搬送チェーン１が停止している間、ピストン・シリンダ装置１３の駆動により雌雄型１０，１１が合体し、凹凸部１０ａ，１１ａによるプレスによって、図２（Ｂ）のごとき仮止め部１２が刷本３の各重畳部３ａ，３ｂにおける進行方向の先端近傍に形成される。
【００３７】
（４）仮止め部１２が形成されると、刷本３は搬送チェーン１によって図２（Ｂ）のごとく下流側へと搬送される。その搬送の際刷本３は風圧等の作用を受けるが、刷本３の重畳部３ａ，３ｂは仮止め部１２によって固定され一体化されているので、捲れを生じることなく進行する。
その結果、刷本３は搬送チェーン１上で頁に折れ曲がり等を生じることなく積み重ねられる。
【００３８】
（５）搬送チェーン１が最下流側の刷本供給部２に到達し、最後の刷本３が供給されると一冊の中綴本９を構成するすべての刷本３が鞍掛け状に積み重ねられることとなる。
【００３９】
（６）全刷本３が積み重なったものは、搬送チェーン１によってその下流側の綴部４へと搬送される。搬送チェーン１によって搬送されて来た刷本３の積み重ねられたものの背が、綴部４において金具等で綴じられ一冊の中綴本９として一体化される。
【００４０】
（７）綴部４で背を綴じられた刷本３はコンベア５によって三方断裁機６へと搬送される。三方断裁機６によって刷本３は天、地及び小口を断裁され、不要部を除去される。仮止め部１２は不要部の除去と同時に除去される。
【００４１】
（８）三方断裁機６で断裁された刷本３は完成した中綴本９となってコンベア７によりスタッカ８へと搬送される。スタッカ８において、中綴本９は山状に積み上げられた後、中綴製本装置外へと搬出される。
【００４２】
なお、本発明は、上記実施の形態に限定されるものではなく、種々の変更が可能である。
【符号の説明】
【００４３】
１…搬送チェーン
３…刷本
３ａ，３ｂ…重畳部
１２…仮止め部
【図１】
2013244639.tif 000003
【図２】
2013244639.tif 000004
【図３】
2013244639.tif 000005
【図４】
2013244639.tif 000006